(57)【要約】      （修正有）【課題】非円形光ディスクを提供する。【解決手段】中央に貫通形成された中央孔２１を有し、前記中央孔２１と同心円をなして所定幅を有するクランピング部２２と、前記中央孔２１と同心円をなしてクランピング部２２の外側から所定幅を有する情報貯蔵領域部２４と、前記情報貯蔵領域部２４の外側縁部に沿って同一平面上で同じ厚さを有して延びて非円形の所定形状をなす外側形状部２５が底面に形成され、上面には印刷層２６が形成される非円形光ディスクにおいて、非円形に形成される外側形状部２５の前記中央孔２１の中心点から最も遠い２箇所以上の終端が同じ長さを有するようにし、これらの終端が光ディスク記録または再生装置のディスクが挿入される円形のディスク載置溝の内周面に相応させる外接部を形成し、それぞれの隣接した外接部が前記中央孔２１の中心点を軸に１８０゜以下の角度で配されることを特徴とする。【選択図】図１
2005093005.tif 000002
【特許請求の範囲】
【請求項１】
中央に貫通形成された中央孔２１を有し、  前記中央孔２１と同心円をなして所定幅を有するクランピング部２２と、前記中央孔２１と同心円をなしてクランピング部２２の外側から所定幅を有する情報貯蔵領域部２４と、前記情報貯蔵領域部２４の外側縁部に沿って同一平面上に同じ厚さを有して延びて非円形の所定形状をなす外側形状部２５と、が底面に形成され、上面には印刷層２６が形成される非円形光ディスクにおいて、
非円形に形成される外側形状部２５の前記中央孔２１の中心点から最も遠い２箇所以上の終端が同じ長さを有するようにし、これらの終端が光ディスク記録または再生装置のディスクが挿入される円形のディスク載置溝１７の内周面に相応する外接部２７を形成し、それぞれの隣接した外接部２７が前記中央孔２１の中心点を軸に１８０゜以下の角度で配されることを特徴とする非円形光ディスク。
【請求項２】
情報貯蔵領域部２４ｂの面積が最大となる位置に中央孔２１ｂを形成し、前記中央孔２１ｂの中心点を通過する１本の仮想直線を第１直線Ｌ１とし、前記中央孔２１の中心点を通過して前記第１直線Ｌ１と垂直交差する第２直線Ｌ２を仮定した時、前記外側形状部２５ｂのそれぞれの対角方向の平面面積を相等しくする複数のバランスホール２８をさらに含むことを特徴とする請求項１に記載の非円形光ディスク。
【請求項３】
中央孔２１ｃを中心点として各々１２０゜以下の間隔をなす３つ以上のブーメラン羽根状の突出部２９をさらに含むことを特徴とする請求項２に記載の非円形光ディスク。
【発明の詳細な説明】
【技術分野】
【０００１】
本発明は非円形光ディスクに関する。従来より、名刺状の長方形や楕円形の非円形光ディスクに対する研究が進んで一部生産されていたが、より多様なデザインの光ディスクを生産すべく、光ディスクの機能を十分に行え、かつ多様なデザインの適用が可能な光ディスクを提供する。
【背景技術】
【０００２】
ＣＤやＤＶＤのような光ディスクは、一般に音盤、映像物、またはコンピュータ資料貯蔵などを含んで多様に活用されており、最近には多種の光ディスクが販売されている。
【０００３】
しかし、円形光ディスクの場合、上面に多様な絵及び文様を印刷する程度に留まっており、一律的な形状に新たなデザインを開発し、多様な用途へ活用するにはその限界があった。このような問題を解決するために名刺型ＣＤのような非円形光ディスクが考案されて販売されている。
【０００４】
ディスクが円形を有するのは基本的に回転体であるからであるが、このようなディスクを名刺型のように長方形に製造すれば、光ディスクドライブ内で回転時に多くの問題が発生する恐れがある。図６はディスクドライブのトレイを示す平面図である。図６を参照すれば、一般の家庭用及びコンピュータ用のＣＤドライブやＤＶＤドライブにおいてディスクが置かれるトレイには１２０ｍｍの光ディスク用載置部１１と８０ｍｍ光ディスク用載置部１２が形成されていて、ディスクの中心を合わせて容易に挿入できるようにしている。車両用や携帯用ＣＤドライブの一部はディスクの挿入時にディスク中央孔に直接スピンドルモーターのマウンタを挿入する場合もある。
【０００５】
最近はＣＤドライブの場合、ディスク回転速度が３２倍速を超えて４８倍速のものもあり、非常に高速で回転するために非円形光ディスクを製造するには注意せねばならない。
【０００６】
従来の非円形光ディスクが特許文献１ないし４に開示されている。
【０００７】
特許文献３の場合、光ディスクの底部に突起を形成して前記８０ｍｍ光ディスク用載置部１２の内周面に突起が位置すべく回転させるようにしているが、これにより貯蔵空間が前記突起の内側に限定されてしまうという問題が発生する。  
【０００８】
また、底面に突起をさらに形成するのは一般の光ディスク製作工程で製造コストの上昇を招き、ディスクドライブトレイは一般のコンピュータ用に限定されるので、各種ＣＤプレーヤーやＤＶＤプレーヤーのような装置に適用するには多くの問題点を有している。
【０００９】
図７は、従来のディスクドライブの作動例を示す側断面図である。前記ディスクドライブトレイ１が挿入されると、モータと連結された回転軸１３の端部に中央孔２１´に相応して挿入される挿入突起１４が形成されて外周面はクランピング部２２´の外側に形成される突起２３´の内周面に相応する装着突起１５よりなる装着台１６が上昇するか、トレイ１が下降して載置されるようになる。
【００１０】
したがって、ディスクの回転時に光ディスク２´はトレイ１から若干浮き上った状態で作動するようになっていて、前記８０ｍｍ光ディスク載置部１２に相応する突起を形成する場合、突起の高さは相当部分確保すべきであり、これにより光ディスクは相当厚くなる。
【００１１】
また重心が中央孔と一致していないために、光ディスクが高速回転時に載置部から離脱するか、振れ現象が発生しうる。
従って、さらに多様なデザインで光ディスクを生産でき、かつ既存の各種ディスクドライブに容易に適用可能な光ディスクの開発が必要である。
【特許文献１】大韓民国特許公開２００１−００４７５２８号”非円形光ディスク製造方法”
【特許文献２】大韓民国特許公開２００１−００１７５２７号”円形光ディスク”
【特許文献３】大韓民国特許公開２００１−００１０２０６号”非円形光ディスク”
【特許文献４】大韓民国実用新案登録２０−０１７７５５６号”広報内容を記録したＣＤ名刺とＤＶＤ名刺”
【発明の開示】
【発明が解決しようとする課題】
【００１２】
本発明は前記問題点を解決するために開発されたものであって、その目的は、非円形の多様なデザインを有する光ディスクを提供するところにある。
また、光ディスク再生時の振れ現象やトレイの光ディスク載置部からの離脱を防止するところにある。
【課題を解決するための手段】
【００１３】
前記目的を達成するために本発明は、中央に貫通形成された中央孔を有し、前記中央孔と同心円をなして所定幅を有するクランピング部と、前記中央孔と同心円をなしてクランピング部の外側から所定幅を有する情報貯蔵領域部と、前記情報貯蔵領域部の外側縁部に沿って同一平面上に同じ厚さで延びて非円形の所定形状をなす外側形状部が底面に形成され、上面には印刷層が形成される非円形光ディスクにおいて、
非円形に形成される光ディスク外側形状部２５の前記中央孔２１の中心点から最も遠い２箇所以上の終端が同じ長さを有するようにし、これらの終端が光ディスク記録または再生装置のディスクが挿入される円形のディスク載置溝１７の内周面に相応する外接部２７を形成し、それぞれの隣接した外接部２７が前記中央孔２１の中心点を軸に１８０゜以下の角度で配されることを特徴とする。  
【００１４】
また、前記光ディスク２は前記情報貯蔵領域部２４の面積が最大となる位置に中央孔２１ｂを形成し、前記中央孔２１ｂの中心点を通過する１本の仮想直線を第１直線Ｌ１とし、前記中央孔２１の中心点を通過して前記第１直線Ｌ１と垂直交差する第２直線Ｌ２を形成した時、前記外側形状部２５ｂのそれぞれの対角方向の平面面積を相等しくする複数のバランスホール２８をさらに含むことが望ましい。
【００１５】
また、中央孔２１ｃの中心点として各々１２０゜以下の間隔をなす３つ以上のブーメラン羽根状の突出部２９をさらに含むことが望ましい。
【発明の効果】
【００１６】
本発明は非円形の多様なデザインを有する光ディスクを提供できて多様な広報または販促用品として光ディスクの活用を可能にし、審美感を感じられる光ディスクを提供することによって消費者の呼応度を高める効果がある。
また、光ディスク作動時の振れ現象や遠心力による離脱を防止して安定した作動を可能にする効果がある。
【発明を実施するための最良の形態】
【００１７】
以下、本発明の構成を添付した図面に基づいて当業者が容易に理解し、再現できるように詳細に説明する。
【００１８】
図１は本発明の一実施例に係る光ディスクを示す平面図であり、図２は本発明の一実施例に係る光ディスクを示す断面図である。中央に貫通形成された中央孔２１と、前記中央孔２１と同心円をなして所定幅を有するクランピング部２２と、前記中央孔２１と同心円をなしてクランピング部２２の外側から所定幅を有する情報貯蔵領域部２４と、前記情報貯蔵領域部２４の外側縁部に沿って同一平面上に同じ厚さに延びて非円形の所定形状をなす外側形状部２５が底面に形成され、上面には印刷層２６が形成された非円形光ディスクを示す。
【００１９】
したがって、前記情報貯蔵領域部２４はその作動関係上中央孔２１と同一中心を有する円をなすように形成され、その外側部は外側形状部２５として示された自動車の例のように適用されている。
【００２０】
また、多様な動物形状や各種キャラクターの形状に非円形光ディスク２を製作することによって、各種販促物や広報用として音楽を貯蔵するか、一定のプログラムまたは資料を貯蔵して配布または販売する場合に消費者の大きな呼応を得ると予想される。
【００２１】
図３は、本発明の一実施例に係る光ディスクの装着状態を示す斜視図であって、外側形状部２５ａにおいて前記中央孔２１ａの中心点から最も遠い終端が２箇所以上設けられており、これらの終端は同じ長さを有し、光ディスク記録または再生装置のディスクが挿入されるトレイに形成されているディスク載置溝１７の内周面に相応して外接部２７を形成し、それぞれの隣接した外接部２７は前記中央孔２１ａの中心点を軸に１８０゜以下の角度に配される構成を示す。
【００２２】
すなわち、光ディスク２ａがプレーヤー内に装着されて回転する時、円形の光ディスクに比べて重心とディスクの中央孔との不一致によって光ディスクの振れ、さらには離脱して再生不能の状態になる場合が発生する恐れがあるが、本実施例ではこれを防止するために２箇所以上の外接部２７を前記ディスク載置溝１７の内側に配置して離脱せずに回転可能にした。
【００２３】
この際、前記外接部２７が一方に偏重されていると、初期回転時に多くの負荷のためにディスクの振れや離脱が発生するので、本発明に係る光ディスクの前記外接部２７はディスク載置溝１７の内側に沿って２箇所以上均等に配することが望ましい。
【００２４】
図４は、本発明の他の実施例に係る光ディスクを示す平面図であって、図４に示す光ディスク２ｂは前記情報貯蔵領域部２４ｂの面積が最大となる位置に中央孔２１ｂを形成し、前記中央孔２１ｂの中心点を通過する１本の仮想直線を第１直線Ｌ１とし、前記中央孔２１ｂの中心点を通過する前記第１直線Ｌ１と垂直交差する第２直線Ｌ２を形成した時、前記外側形状部２５ｂのそれぞれの対角方向の平面面積を相等しくするバランスホール２８が形成された実施例を示す。
【００２５】
すなわち、デザインの形状によっては重心が一定の方向に偏重されると回転時に振れが発生する。これを防止するために重心が偏重された前記外側形状部２５ｂにバランスホール２８を穿孔して重心の偏重を最大限防止するようにした。中央孔２１ｂの中心点を通過する１つの仮想直線を第１直線Ｌ１とし、前記中央孔２１の中心点を通過する前記第１直線Ｌ１と垂直交差する第２直線Ｌ２を形成した時、前記外側形状部２５ｂのそれぞれの対角方向の平面面積を相等しくするようにバランスホール２８を形成すれば重心を補正できて光ディスク形状の設計が自由になる。例えば、中央孔２１ｂが位置する部分を全体外観上おかしくない部分に位置させたり、前記情報貯蔵領域部２４の面積が最大となる位置に中央孔２１ｂを形成しやすくなる。
【００２６】
図５は、本発明のさらに他の実施例に係る光ディスクの構造を示す平面図である。図５を参照すれば、本発明のさらに他の実施例に係る光ディスク２ｃは前記外側形状部２５ｃの中央孔２１ｃの中心点を軸に各々１２０゜の間隔をなすように突出され、その端部に外接部を形成する３個のブーメラン羽根状の突出部２９を含めて構成される。突出部２９には選択的にバランスホール２８ｃが形成されうる。
【００２７】
前述したような本発明のさらに他の実施例に係る光ディスクは、形状によって回転時に中心離脱するといった安定した作動が容易ではないと予想される形状に構成せねばならない場合や、または他の審美感を与えるためにブーメラン羽根状の突出部２９を構成する。
【００２８】
前記実施例のように相互１２０゜の間隔をなすように形成されているブーメラン羽根状の突出部２９を設けることによって、光ディスク情報領域とその光ディスク情報領域周囲の部分を含む領域の重心位置と中央孔位置とがある程度外れた場合にもブーメラン羽根状の突出部２９にかかる回転トルクが他の領域に比べて相対的に非常に大きいため、光ディスク回転時のディスク振れ現象やディスク載置溝１７からの離脱現象を防止しうる。また、前記実施例においてブーメラン羽根状の突出部２９の外部面をディスク載置溝１７の内周面に相応するようにすれば、ディスク載置溝１７からの離脱現象をより確実に除去しうる。
【００２９】
しかし、光ディスク情報領域とその光ディスク情報領域周囲の部分を含む領域の重心位置と中央孔位置とが過度に大きい場合にはブーメラン羽根状の突出部２９による回転安定化に限界がある場合がある。このような場合にはブーメラン羽根状の突出部２９部分に小さなホール形態のバランスホール２８ｃを置くだけでも光ディスク情報領域が最大となるように設定された中央孔部分が重心になるように設定できるという効果がある。
【００３０】
ブーメラン羽根状の突出部２９にかかる回転トルクが中央孔付近の他の領域に比べて相対的に非常に大きいため、光ディスク情報領域とその光ディスク情報領域周囲の部分を含む領域の重心位置と中央孔位置とがある程度外れる場合にもディスクドライブで許容可能な範囲以内で回転制御が可能となる。また、光ディスク情報領域とその光ディスク情報領域周囲の部分を含む領域の重心位置と中央孔位置とが過度に大きい場合には、ブーメラン羽根状の突出部２９部分に小さなホール形態のバランスホール２８ｃを置くだけでも光ディスク情報領域が最大となるように設定された中央孔部分が重心になるように設定できる。本実施例で適用しているバランスホール２８ｃは図４を参照して説明した実施例でのバランスホールに比べて相当小さなホールであるが、同じバランス効果を発揮し得る。
【００３１】
また、バランスホールを多数の微細孔に構成しうる（図示せず）。バランスホールを多数の異彩孔に構成すれば、穿孔作業時にディスクに加えられるクラック現象を防止しうる。
【００３２】
本発明の範囲は前記実施例に限定されず、特許請求の範囲によって定義される本発明の範囲内で当業者によって多様に修正及び変形されうる。
【産業上の利用可能性】
【００３３】
本発明に係る非円形光ディスクは、底面に突起をさらに形成する形ではないので、コンピュータ用として限定されず、各種の携帯用ＣＤプレーヤーやＤＶＤプレーヤーのような装置に適用しうる。本発明の光ディスクは、望ましくは８０ｍｍまたは１２０ｍｍの直径を有するＣＤやＤＶＤに適用しうる。
【図面の簡単な説明】
【００３４】
【図１】本発明の一実施例に係る光ディスクを示す平面図である。
【図２】本発明の一実施例に係る光ディスクを示す断面図である。
【図３】本発明の一実施例に係る光ディスクの装着状態を示す斜視図である。
【図４】本発明の他の実施例に係る光ディスクを示す平面図である。
【図５】本発明のさらに他の実施例に係る光ディスクを示す平面図である。
【図６】ディスクドライブのトレイを示す平面図である。
【図７】従来のディスクドライブの作動例を示す側断面図である。
【符号の説明】
【００３５】
１：トレイ
２：光ディスク
１１：１２０ｍｍ光ディスク用載置部
１２：８０ｍｍ光ディスク用載置部
１３：回転軸
１４：挿入突起
１５：装着突起
１６：装着台
１７：ディスク載置溝
２１：中央孔
２２：クランピング部
２３：突起
２４：情報貯蔵領域部
２５：外側形状部
２６：印刷層
２７：外接部
２８：バランスホール
Ｌ１：第１直線
Ｌ２：第２直線
【図１】
2005093005.tif 000003
【図２】
2005093005.tif 000004
【図３】
2005093005.tif 000005
【図４】
2005093005.tif 000006
【図５】
2005093005.tif 000007
【図６】
2005093005.tif 000008
【図７】
2005093005.tif 000009